(57)【要約】【課題】  従来のシステムでは、無線端末および基地局を統括管理する呼処理制御装置への位置登録情報の入力は保守者が手動で行っていたため、設定に際しヒューマンエラーの危険性を伴っていた。また、基地局の新設の度に基地局および呼処理制御装置の位置登録情報を手動で再設定する必要が生じるため、保守コストが増大するという問題があった。【解決手段】  呼処理制御装置は事前に基地局数Ｎを記憶しておく。そして、無線端末から基地局を介して「基準距離」の設定依頼を受信すると、呼処理制御装置又は監視制御サーバが制御する複数の基地局のうち設定依頼を送信してきた基地局からＮ番目に近い位置に存在する基地局を決定し、設定依頼を送信してきた基地局と前記Ｎ番目に近い位置に存在する基地局との間の距離を「基準距離」と設定する。【選択図】  図１
2010081456.tif 000002
【特許請求の範囲】
【請求項１】
無線端末と、前記無線端末と通信する複数の基地局と、前記複数の基地局を制御する呼処理制御装置とから構成される無線通信システムであって、
前記無線端末は、
前回位置登録を行った基地局の位置情報及び基準距離を記憶する記憶部と、
前回位置登録を行った基地局と新たに位置情報を送信してきた基地局との距離が、前記記憶部に記憶された基準距離を超えた場合に、新たに位置情報を送信してきた基地局へ位置登録要求を送信する位置登録要求部とを有し、
前記複数の基地局は、
位置登録要求を受信すると、位置情報を送信してきた無線端末を無線呼出しエリアに存在する無線端末として記憶し、基準距離の通知依頼を前記呼処理制御装置へ送信する位置登録部とを有し、
前記呼処理制御装置は、
基地局数Ｎと、前記複数の基地局の位置情報及び基準距離を記憶する記憶部と、
前記基準距離の設定依頼を第１の基地局から受信すると、前記記憶部に記憶された複数の基地局の位置情報に基づき、前記複数の基地局と前記第１の基地局との距離を算出して、前記第１の基地局からＮ番目に近い位置に存在する第２の基地局を決定し、前記第１の基地局と前記第２の基地局との間の距離を前記第１の基地局の基準距離と設定して、前記記憶部に記憶する基準距離設定部と、
前記基準距離の通知依頼を受信すると、前記基準距離の通知依頼を送信してきた基地局の基準距離を前記記憶部から読み出して、位置登録要求を要求してきた無線端末へ前記基地局を介して送信する基準距離送信部と、を有することを特徴とする無線通信システム。
【請求項２】
請求項１に記載の無線通信システムであって、
前記呼処理制御装置は、さらに、前記基地局数Ｎを入力するための入力部を有することを特徴とする無線通信システム。
【請求項３】
複数の基地局を制御する呼処理制御装置であって、
基地局数Ｎと、前記複数の基地局の位置情報及び基準距離を記憶する記憶部と、
前記基準距離の設定依頼を第１の基地局から受信すると、前記記憶部に記憶された複数の基地局の位置情報に基づき、前記複数の基地局と前記第１の基地局との距離を算出して、前記第１の基地局からＮ番目に近い位置に存在する第２の基地局を決定し、前記第１の基地局と前記第２の基地局との間の距離を前記第１の基地局の基準距離と設定して、前記記憶部に記憶する基準距離設定部と、
前記基準距離の通知依頼を受信すると、前記基準距離の通知依頼を送信してきた基地局の基準距離を前記記憶部から読み出して、位置登録要求を要求してきた無線端末へ前記基地局を介して送信する基準距離送信部と、を有することを特徴とする呼処理制御装置。
【請求項４】
請求項３に記載の呼処理制御装置であって、
さらに、前記記憶部に記憶する基地局数Ｎを入力するための入力部を有することを特徴とする呼処理制御装置。
【請求項５】
複数の基地局を制御する呼処理制御方法であって、
基地局数Ｎと、前記複数の基地局の位置情報及び基準距離を記憶する第１ステップと、
前記基準距離の設定依頼を第１の基地局から受信すると、複数の基地局の位置情報に基づき、前記複数の基地局と前記第１の基地局との距離を算出して、前記第１の基地局からＮ番目に近い位置に存在する第２の基地局を決定し、前記第１の基地局と前記第２の基地局との間の距離を前記第１の基地局の基準距離と設定して、記憶部に記憶する第２ステップと、
前記基準距離の通知依頼を受信すると、前記基準距離の通知依頼を送信してきた基地局の基準距離を前記記憶部から読み出して、位置登録要求を要求してきた無線端末へ前記基地局を介して送信する第３ステップと、を有することを特徴とする呼処理制御方法。
【請求項６】
請求項５に記載の呼処理制御方法であって、
さらに、前記基地局数Ｎを入力するステップを有することを特徴とする呼処理制御方法。
【発明の詳細な説明】
【技術分野】
【０００１】
本発明は、無線通信システムの構成に係り、特に端末を呼び出すページング技術に関する。
【背景技術】
【０００２】
移動体通信システムでは、無線端末は、バッテリの消費を考慮して、データ通信を行わない場合は基地局と通信を切断した状態(待ち受け状態)で移動を行う。しかし、待ち受け状態の無線端末に対してデータ着信が発生した場合、移動体通信システムは無線端末がどこに存在するか分からないため、複数の基地局から着信信号を送信する必要がある。１台の無線端末の着信に対して多数の基地局から着信信号を送信すると無線リソースの消費が大きくなってしまう。そこで、着信信号の送信による無線リソースの消費を最小限に抑えるため、無線端末の存在する基地局をある範囲内に特定するための位置登録という技術が、非特許文献１に示されている。非特許文献１は３．９Ｇ次世代無線通信技術であるＵＭＢ(Ｕｌｔｒａ Ｍｏｂｉｌｅ Ｂｒｏａｄｂａｎｄ)システムにおける技術仕様が記載された標準文書である。
【０００３】
非特許文献１には、主に距離を用いた位置登録方法（距離ベースの位置登録方法）が示されている。距離ベースの位置登録方法において、無線端末は、最後に位置登録を行った基地局の緯度・経度情報を記憶する。無線端末が他の基地局配下へ移動した場合、無線端末は、移動先の基地局の緯度・経度情報を受信し、移動距離を計算する。移動距離の値がある一定の距離（位置登録を行うか否かの閾値）を超えた場合に、移動先の基地局に対して位置登録メッセージを送信し無線端末の存在位置の更新を行う。
【０００４】
上述の距離ベースの位置登録方法においては、位置登録を行う範囲を調整することにより、着信通知（ページングメッセージ）を送信する基地局数を調整できるため、着信通知の送信に使用する無線リソースの消費量を調節することが可能となる。無線端末が基地局間を移動するたびに位置登録を行えば、呼処理制御装置は無線端末がどの基地局の配下にいるのか、その存在範囲を１つの基地局に特定する事ができるため、着信通知に使用する無線リソースの消費量を最小限に抑えることが可能となる。
【０００５】
【特許文献１】特開２００７−１８３８３７号公報
【非特許文献１】３ＧＰＰ２(３ｒｄ ｇｅｎｅｒａｔｉｏｎ ｐａｒｔｎｅｒｓｈｉｐｓ) Ｃ．Ｓ００８４−０００−００６  Ｖｅｒｓｉｏｎ ２．０
【発明の開示】
【発明が解決しようとする課題】
【０００６】
しかし、すべての無線端末が基地局間を移動するたびに位置登録を行う態様にすると、無線端末が基地局間を移動するたびに位置登録メッセージを送信することとなるため、位置登録の頻度が高くなり、位置登録に伴う無線リソースの消費量が増加してしまう。よって、位置登録を行う範囲（位置登録エリア）をどのような大きさに設定するかがシステムオプティマイゼーションの課題となっている。
【０００７】
従来のシステムでは、無線端末および基地局を統括管理する呼処理制御装置への位置登録情報の入力を保守者が上述の位置登録を行う範囲の最適な値を計算し、それを手動で入力していた。よって、手動入力であるためにヒューマンエラーの危険性を伴っているとともに、保守者に大きな負担がかかっていた。また、基地局の新設の度に基地局および呼処理制御装置の位置登録情報を手動で再設定する必要が生じるため、保守コストが増大するという問題があった。
【０００８】
なお、特許文献１では計算機の環境設定にかかる管理者の負担を軽減させる環境設定方法が開示されているが、無線通信システムにおける位置登録に必要な構成を考慮しておらず、この技術を単純に無線通信システムに応用しても本発明の課題を解決することはできない。
【課題を解決するための手段】
【０００９】
本発明は、無線端末および基地局を統括管理する呼処理制御装置への位置登録情報を自動的に入力可能な無線通信システムを提供する。
【００１０】
呼処理制御装置は事前に基地局数Ｎを記憶しておく。そして、無線端末から基地局を介して「基準距離」の設定依頼を受信すると、呼処理制御装置又は監視制御サーバが制御する複数の基地局のうち設定依頼を送信してきた基地局からＮ番目に近い位置に存在する基地局を決定し、設定依頼を送信してきた基地局と前記Ｎ番目に近い位置に存在する基地局との間の距離を「基準距離」と設定する。
【発明の効果】
【００１１】
位置登録に伴う無線リソースの消費量を抑えることができる。
【００１２】
また、無線端末および基地局を統括管理する呼処理制御装置への位置登録情報の入力が自動化されるため、位置登録情報を設定する際のヒューマンエラーの危険性を無くすことが可能になる。また、基地局の新設の度に基地局および呼処理制御装置の位置登録情報を手動で再設定する手間を省けるので、システムの運用会社にとってコストの面でも大きなメリットがある。
【発明を実施するための最良の形態】
【００１３】
以下、本発明の実施の形態について、図面を参照して詳細に説明する。
【００１４】
図１は、本発明を適用する無線通信システムの構成を示す図である。無線通信システムは無線端末１００（ここでは１００−１、１００−２、１００−３の３つが存在する）と、基地局１０１（ここでは１０１−１、１０１−２の２つが存在する）と、呼処理制御装置（通信制御装置とも言う）１０２と、監視制御サーバ１０３と、ゲートウェイ１０４を備える。
【００１５】
無線端末１００と基地局１０１は無線で接続される。基地局１０１と呼処理制御装置１０２と監視制御サーバ１０３とゲートウェイ１０４は有線にてメッシュ状で接続される。ゲートウェイ１０４は、ＩＰ網１０５と接続される。無線端末１００は、基地局１０１およびゲートウェイ１０４を介してＩＰ網１０５に接続接続されたサーバとの間でデータの送受信を行う。
【００１６】
また、無線端末１００と基地局１０１との間で位置登録及びページングが実施される。例えば無線端末１００−１が基地局１０１−１に対し位置登録を依頼すると、基地局１０１−１は依頼に応じて自己の支配下に１０１−１が存在することを認識する。そして、無線端末１００−１への着信があれば、基地局１０１−１は無線端末１００−１のページング（呼び出し）を実行する。
【００１７】
図２は、無線端末１００の構成を示すブロック図である。無線端末１００は、複数の送受信アンテナ２００（ここでは２００−１、２００−２の２つが存在する）と、各アンテナ２００に接続された無線アナログ部２０１（ここでは２０１−１、２０１−２の２つが存在する）と、無線アナログ部２０１と接続されたデジタル信号処理部２０２と、デジタル信号処理部２０２と接続された呼処理部２０３とを備えている。
【００１８】
ここで、無線アナログ部２０１は、アンテナ２００を介して受信した基地局１０１からのアナログ信号をデジタル信号に変換し、デジタル信号処理部２０２に出力する。また、無線アナログ部２０１は、デジタル信号処理部２０２から受信したデジタル信号をアナログ信号に変換し、アンテナ２００を介して基地局１０１に送信する。デジタル信号処理部２０２は、無線アナログ部２０１からの信号の復調や基地局１０１への信号の変調を行う。呼処理部２０３は、プロセッサ（制御部）２１０と、プロセッサ２１０が実行するプログラム等を格納するメモリ２１１と、基地局１０１から報知される位置登録情報を格納する位置登録情報データベース２１２とを備えている。無線端末１００は基地局１０１から報知されるセクタパラメータズと、位置登録情報データベースに格納されている位置登録情報を比較する機能、比較結果を基に基地局１０１に位置登録メッセージを送信する機能を有する。
【００１９】
図３は、基地局１０１の構成を示すブロック図である。基地局１０１は、複数の送受信アンテナ３００（ここでは３００−１、３００−２の２つが存在する）と、アンテナ３００の各々に接続された無線アナログ部３０１（ここでは３０１−１、３０１−２の２つが存在する）と、これら無線アナログ部３０１と接続されたデジタル信号処理２０２と、デジタル信号処理部２０２と接続された呼処理部３０４と、呼処理３０４と接続された回線インタフェース部３０３とを備えている。回線インタフェース部３０３は、呼処理制御装置１０２と、監視制御サーバ１０３と、ゲートウェイ１０４とも接続されている。
【００２０】
ここで、無線アナログ部３０１は、アンテナ３００を介して受信した無線端末１００からのアナログ信号をデジタル信号に変換し、デジタル信号処理部３０２に出力する。また、無線アナログ部３０１は、デジタル信号処理部３０２から受信したデジタル信号をアナログ信号に変換し、アンテナ３００を介して無線端末１００に送信する。デジタル信号処理部３０２は、無線アナログ部３０１からの信号の復調や無線端末１００への信号の変調を行う。呼処理部３０４は、プロセッサ（制御部）３１０と、プロセッサ３１０が実行するプログラム等を格納するメモリ３１１と、無線端末１００へ報知するセクタパラメータズと、呼処理制御装置１０２へ送信する位置登録情報と、監視制御サーバから送信される位置登録情報とを格納する位置登録情報データベース３１２とを備えている。
【００２１】
基地局１０１は無線端末１００から送信された位置登録メッセージにＩＰアドレスを付加して呼処理制御装置１０２へ送信する機能と、監視制御サーバ１０３から割り振られた位置登録情報を位置登録情報データベース３１２に格納する機能と、呼処理制御装置１０２に位置登録情報としてＩＰアドレスを通知する機能と、呼処理制御装置１０２からのページング要求を基に無線端末１００にページングメッセージを送信する機能とを備えている。
【００２２】
図４は、呼処理制御装置１０２の構成を示すブロック図である。呼処理制御装置１０２は、基地局１０１と監視制御サーバ１０３とゲートウェイ１０４と接続された回線インタフェース４００と、回線インタフェース４００と接続された呼処理部４０１とを備えている。
【００２３】
ここで、呼処理部４０１は、プロセッサ（制御部）４１０と、プロセッサ４１０が実行するプログラム等を格納するメモリ４１１と、基地局１０１から通知される位置登録情報を格納する基地局位置登録情報データベース４１２と、無線端末１００が最後に位置登録を行った基地局のＩＰアドレスと位置登録メッセージを送信した無線端末１００の無線端末識別子を格納する基点基地局データベース４１３とを備えている。
【００２４】
呼処理制御装置１０２は、基地局１０１から送信された位置登録メッセージの情報を無線端末１００毎に位置登録情報データベースに格納する機能と、位置登録情報データベースに格納されている情報を基にページングエリアを決定する機能と、決定したページングエリア内に存在する基地局１０１に対してページングメッセージを送信するように要求するメッセージを送信する機能とを備えている。
【００２５】
図５は、監視制御サーバ１０３の構成を示すブロック図である。監視制御サーバ１０３は、基地局１０１と呼処理制御装置１０２とゲートウェイ１０４と接続された回線インタフェース５００と、回線インタフェース５００と接続された呼処理部５０１とを備えている。
【００２６】
ここで、呼処理部５０１は、プロセッサ（制御部）５１０と、プロセッサ５１０が実行するプログラム等を格納するメモリ５１１と、プロセッサ５１０が導出する基地局１０１への位置登録情報を格納する位置登録情報データベース５１２とを備えている。
監視制御サーバ１０３は、新設された基地局１０１から送信された緯度経度とＩＰアドレスを基に位置登録情報を導出する機能と、その位置登録情報を基地局１０１に送信する機能とを持つ。
【００２７】
図６は、新設された基地局に位置登録情報を自動的に設定するシーケンス図である。ここで、基地局Ｃ１０１−３は新設基地局である。
【００２８】
基地局Ｃ１０１−３は、自局の緯度経度とＩＰアドレスを呼処理制御装置１０２へ送信する（ステップ６０１）。呼処理制御装置１０２は受信した基地局Ｃ１０１−３の緯度経度とＩＰアドレスを基地局位置登録情報データベース４１２に記憶する（ステップ６０２）。その後呼処理制御装置１０２は、基地局Ｃ１０１−３の緯度経度情報を基に基地局Ｃ１０１−３のＲｅｇｉｓｔｒａｔｉｏｎＲａｄｉｕｓを導出する（ステップ６０３）。ここで、ＲｅｇｉｓｔｒａｔｉｏｎＲａｄｉｕｓとは、無線端末が位置登録をするか否かの閾値に用いる値である。よって、ＲｅｇｉｓｔｒａｔｉｏｎＲａｄｉｕｓを「基準距離」と言っても良い。なお、ＲｅｇｉｓｔｒａｔｉｏｎＲａｄｉｕｓの導出方法については図８にて詳細に説明する。
【００２９】
図７は、呼処理制御装置１０２の基地局位置登録データベース４１２を示す。ここで、基地局Ａ１０１−１と基地局Ｂ１０１−２は既設基地局、基地局Ｃ１０１−３は新設基地局である。
【００３０】
基地局Ｃ１０１−３からデータ（ＩＰアドレスと緯度経度の情報）を受信する前は、基地局Ａ１０１−１の位置登録情報７０１、基地局Ｂ１０１−２の位置登録情報７０２を記憶している状態であり、基地局Ｃ１０１−３からデータ（ＩＰアドレスと緯度経度の情報）を受信すると、基地局Ｃ１０１−３の位置登録情報７０３を記憶した状態になる。
【００３１】
なお、基地局Ｃ１０１−３が新規に設置されるとき、基地局Ｃ１０１−３自身ではＲｅｇｉｓｔｒａｔｉｏｎＲａｄｉｕｓを求めることはできないので、基地局Ｃ１０１−３の位置登録情報７０３のＲｅｇｉｓｔｒａｔｉｏｎＲａｄｉｕｓはＮＵＬＬである。
【００３２】
図８は、ＲｅｇｉｓｔｒａｔｉｏｎＲａｄｉｕｓの導出フローを示す。
【００３３】
呼処理制御装置１０２は、基地局Ｃ１０１−３のＲｅｇｉｓｔｒａｔｉｏｎＲａｄｉｕｓの値を導出する場合、保守者に基地局Ｃ１０１−３の支配下（通信可能領域内）に取り込みたい基地局数Ｎを入力させて、その値を読み込む（ステップ８０１）。なお、既に入力された数値を用いるのであれば、呼処理制御装置１０２は、基地局位置登録情報データベース４１２内に記憶された基地局数Ｎを読み込む。
【００３４】
基地局数Ｎを読み込むと、呼処理制御装置１０２は、基地局位置登録情報データベース４１２内に存在している各基地局と、基地局Ｃ１０１−３との間の距離を算出する。呼処理制御装置１０２は、算出した距離の値が小さい順になるようにそれぞれの基地局に順位付けを行い、基地局Ｃ１０１−３からＮ番目に近い位置に存在する基地局を決定する（ステップ８０２）。
【００３５】
そして、呼処理制御装置１０２は、基地局Ｃ１０１−３からＮ番目に近い位置に存在する基地局と基地局Ｃ１０１−３との間の距離をＲｅｇｉｓｔｒａｔｉｏｎＲａｄｉｕｓの値とする（ステップ８０３）。基地局位置登録情報データベース４１２内の基地局数がＮより少ない場合には、基地局Ｃ１０１−３から最も遠い基地局との距離をＲｅｇｉｓｔｒａｔｉｏｎＲａｄｉｕｓの値とする。
【００３６】
図９は、基地局Ｃ１０１−３と基地局Ａ１０１−１、基地局Ｂ１０１−２との位置関係図を示す。これを用いて基地局Ｃ１０１−３の周辺に基地局Ａ１０１−１、基地局Ｂ１０１−２が存在していたときの、ＲｅｇｉｓｔｒａｔｉｏｎＲａｄｉｕｓの導出過程を説明する。
【００３７】
保守者は基地局Ｃ１０１−３からＲｅｇｉｓｔｒａｔｉｏｎＲａｄｉｕｓの範囲内に取り込みたい基地局数としてＮ＝２を入力する。呼処理制御装置１０２の制御部４１０は、基地局Ａ１０１−１、基地局Ｂ１０１−２、基地局Ｃ１０１−３の緯度経度情報から基地局Ｃ１０１−３と基地局Ａ１０１−１との距離を４０００ｍ、基地局Ｃ１０１−３と基地局Ｂ１０１−２との距離を２０００ｍと算出する。よって、基地局Ａ１０１−１、基地局Ｂ１０１−２を基地局Ｃ１０１−３から近い順に並べると、１番目に近いのが基地局Ｂ１０１−２、２番目に近いのが基地局Ａ１０１−１である。
【００３８】
これにより、呼処理制御装置１０２の制御部４１０は基地局Ｃ１０１−３から最も遠くの距離に存在する基地局は基地局Ａ１０１−１であると判定し、ＲｅｇｉｓｔｒａｔｉｏｎＲａｄｉｕｓ＝４０００ｍ（基地局Ｃ１０１−３と基地局Ａ１０１−１との距離）と設定する。
【００３９】
図１０は、無線端末１００が位置登録を行う際のシーケンス図である。図１０では、図１１の無線端末と基地局との位置関係図を使用しつつ、無線端末１００が基地局Ｃ１０１−３と位置登録を行う場合について説明する。
【００４０】
図１１のように、当初無線端末１００は、Ｘ地点に存在していたが、そこからＹ地点、Ｚ地点へと徐々に移動していく。無線端末１００はＸ地点にいるとき、基地局Ｄ１０１−４へ位置登録メッセージを送信して基地局Ｄ１０１−４と位置登録を行う（ステップ１０００）。位置登録の要求を受けた基地局Ｄ１０１−４は、無線端末１００へＲｅｇiｓｔｒａｔiｏｎＲａｄiｕｓを送信する（ステップ１００１）。なお、ステップ１０００から１００１までには基地局Ｄ１０１−４と呼処理制御装置の間で複数回のデータ送受信が必要になるが、後述する基地局Ｃ１０１−３との位置登録の場合と同じ処理であり、説明が重複するので、ここでは省略する。
【００４１】
無線端末１００はＲｅｇiｓｔｒａｔiｏｎＲａｄiｕｓを受信すると、それを位置登録データベース２１２に記憶（ＲｅｇiｓｔｒａｔiｏｎＲａｄiｕｓを更新）する（ステップ１００２）。ＲｅｇiｓｔｒａｔiｏｎＲａｄiｕｓを移動先で位置登録を新たに行うか否かの判断に用いるためである。
【００４２】
次に、無線端末１００は、Ｘ地点からＹ地点に移動すると、Ｙ地点から最も近くに存在する基地局Ｅ１０１−５から送信された緯度、経度情報を含むセクタパラメータを受信することになる（ステップ１００３）。
【００４３】
無線端末１００は、このとき基地局Ｅ１０１−５に対して位置登録を行うか否かを判断する（ステップ１００４）。具体的には、セクタパラメータに含まれる基地局Ｅ１０１−５の緯度、経度と、位置登録情報データベース２１２に格納している基地局Ｄ１０１−４の緯度、経度とを比較して、無線端末１００自身の移動距離を計算する。計算の結果、移動距離が位置登録データベース２１２に記憶しているＲｅｇiｓｔｒａｔiｏｎＲａｄiｕｓに達しているかどうかを判断する。ここで、移動距離がＲｅｇiｓｔｒａｔiｏｎＲａｄiｕｓに達している場合には位置登録を行うが、移動距離がＲｅｇiｓｔｒａｔiｏｎＲａｄiｕｓに達していない場合には位置登録を行わない（ステップ１００５）。
【００４４】
なお、ここでの無線端末１００自身の移動距離は、前回位置登録を行った基地局と前記無線端末との距離によって表すこともできる。
【００４５】
図１０で示すように、無線端末の移動距離（すなわち基地局Ｄ１０１−４と基地局Ｅ１０１−５の間の距離）は２５００ｍであり、ＲｅｇiｓｔｒａｔiｏｎＲａｄiｕｓの値である５０００ｍよりも小さいため、Ｙ地点において無線端末１００は基地局Ｅ１０１−５に対して位置登録を行わない（セルＭ参照）。
【００４６】
次に、無線端末１００は、Ｙ地点からＺ地点に移動すると、Ｚ地点から最も近くに存在する基地局Ｃ１０１−３から送信された緯度、経度情報を含むセクタパラメータを受信することになる（ステップ１００６）。
【００４７】
無線端末１００は、このとき基地局Ｃ１０１−３に対して位置登録を行うか否かを判断する（ステップ１００７）。具体的には、セクタパラメータに含まれる基地局Ｃ１０１−３の緯度、経度と、位置登録情報データベース２１２に格納している基地局Ｄ１０１−４の緯度、経度とを比較して、無線端末１００自身の移動距離を計算する。計算の結果、移動距離が位置登録データベース２１２に記憶しているＲｅｇiｓｔｒａｔiｏｎＲａｄiｕｓに達しているかどうかを判断する。ここで、移動距離がＲｅｇiｓｔｒａｔiｏｎＲａｄiｕｓに達している場合には位置登録を行うが、移動距離がＲｅｇiｓｔｒａｔiｏｎＲａｄiｕｓに達していない場合には位置登録を行わない。
【００４８】
図１０で示すように、無線端末の移動距離（すなわち基地局Ｄ１０１−４と基地局Ｃ１０１−３の間の距離）は５０００ｍであり、ＲｅｇiｓｔｒａｔiｏｎＲａｄiｕｓの値である５０００ｍに達しているため、Ｚ地点において無線端末１００は基地局Ｃ１０１−３に対して位置登録を行うため、位置登録メッセージを送信する（ステップ１００８）（セルＭ参照）。
【００４９】
基地局Ｃ１０１−３は、無線端末１００から位置登録メッセージを受信すると、呼処理制御装置１０２へ位置登録メッセージを送信する（ステップ１００９）。
【００５０】
呼処理制御装置１０２は、基地局Ｃ１０１−３から位置登録メッセージを受信すると、基点基地局を基地局Ｃ１０１−３と設定し、その旨を基点基地局情報データベース４１３にその旨を記憶する（ステップ１０１０）。基点基地局とは、無線端末１００に対し着信があったとき無線端末１００へ着信信号を送信する役割を果たす無線端末１００毎に１つずつ決められた基地局である。
【００５１】
次に、呼処理制御装置１０２は、基地局Ｃ１０１−３のＲｅｇｉｓｔｒａｔｉｏｎＲａｄｉｕｓを基地局Ｃ１０１−３を介して無線端末１００へ送信する（ステップ１０１１、１０１２）。
【００５２】
無線端末１００は、ＲｅｇiｓｔｒａｔiｏｎＲａｄiｕｓを受信すると、それを位置登録データベース２１２に記憶（ＲｅｇiｓｔｒａｔiｏｎＲａｄiｕｓを更新）する（ステップ１０１３）。その後は、無線端末１００は、自身の移動距離がＲｅｇiｓｔｒａｔiｏｎＲａｄiｕｓの値である４０００ｍに達するまでは基地局Ｃ１０１−３の支配下で通信する（セルＮ参照）。
【００５３】
なお、ステップ１００８で、無線端末１００は位置登録メッセージの中に無線端末の識別子を入れると良い。これにより、呼処理制御装置１０２は、多くの無線端末の中からＲｅｇiｓｔｒａｔiｏｎＲａｄiｕｓを更新する無線端末１００を識別することができる。
【００５４】
以上のように、本実施形態によれば、無線端末１００は距離ベースの位置登録の環境下において、新規に設置された基地局の位置情報と、監視制御サーバにて入力した基地局の数を用いて、基地局の支配領域（ＲｅｇｉｓｔｒａｔｉｏｎＲａｄｉｕｓ）を自由に設定することが可能になる。なお、上記の基地局の数について保守者は、呼処理制御装置が管理する領域内に存在する基地局が多いか否かに応じて変更することができる。例えば、領域内に存在する基地局が多い場合は基地局の支配領域を狭く（ＲｅｇｉｓｔｒａｔｉｏｎＲａｄｉｕｓの値を小さく）設定することで、無線端末が位置登録を行う回数を少なく抑えることができる。すなわち、位置登録に伴う無線リソースと無線端末の電力消費量を抑えることが可能になる。
【００５５】
また、本実施形態によれば、無線端末および基地局を統括管理する呼処理制御装置への位置登録情報の入力が自動化されるため、位置登録情報を設定する際のヒューマンエラーの危険性を無くすことが可能になる。また、基地局の新設の度に基地局および呼処理制御装置の位置登録情報を手動で再設定する手間を省けるので、システムの運用会社にとってコストの面でも大きなメリットがある。
【００５６】
また、図１２を用いて、呼処理制御装置１０２ではなく、監視制御サーバ１０３がＲｅｇｉｓｔｒａｔｉｏｎＲａｄｉｕｓを導出する場合について説明する。これは図６の別パターンであって、新設された基地局に位置登録情報を自動的に設定するシーケンス図である。基地局Ｃ１０１−３は、自局の緯度経度とＩＰアドレスを監視制御サーバ１０３へ送信する（ステップ１２０１）。監視制御サーバ１０３は受信した基地局Ｃ１０１−３の緯度経度とＩＰアドレスを位置登録情報データベース５１２に記憶する（ステップ１２０２）。その後監視制御サーバ１０３は、基地局Ｃ１０１−３の緯度経度情報を基に基地局Ｃ１０１−３のＲｅｇｉｓｔｒａｔｉｏｎＲａｄｉｕｓを導出する（ステップ１２０３）。
【００５７】
さらに、監視制御サーバ１０３は、そのＲｅｇｉｓｔｒａｔｉｏｎＲａｄｉｕｓの情報を位置登録情報データベース５１２に格納する（ステップ１２０４）とともに、導出したＲｅｇｉｓｔｒａｔｉｏｎＲａｄｉｕｓの情報を基地局Ｃ１０１−３へ送信する（ステップ１２０５）。基地局Ｃ１０１−３は監視制御サーバ１０３から与えられた位置登録情報を位置登録情報データベース３１２に格納して（ステップ１２０６）、呼処理制御装置１０２に自局Ｃの緯度経度、ＩＰアドレスの情報を送信する（ステップ１２０７）。呼処理制御装置１０２は、基地局位置登録情報データベース４１２に基地局Ｃ１０１−３から受信した緯度経度、ＩＰアドレスの情報を格納する（ステップ１２０８）。
【００５８】
なお、本実施形態では、基地局を識別するためにＩＰアドレスを用いているが、ＩＰアドレスでなくとも、基地局を識別できる基地局識別子であれば問題ない。
【図面の簡単な説明】
【００５９】
【図１】無線通信システムの構成図である。
【図２】無線端末の構成を示すブロック図である。
【図３】基地局の構成を示すブロック図である。
【図４】呼処理制御装置の構成を示すブロック図である。
【図５】監視制御サーバの構成を示すブロック図である。
【図６】新設された基地局に位置登録情報を自動的に設定するシーケンス図である。
【図７】呼処理制御装置の位置登録データベースである。
【図８】ＲｅｇｉｓｔｒａｔｉｏｎＲａｄｉｕｓの導出フローである。
【図９】基地局Ｃと基地局Ａ、基地局Ｂとの位置関係図である。
【図１０】無線端末が位置登録を行う際のシーケンス図である。
【図１１】無線端末と基地局との位置関係図である。
【図１２】監視制御サーバがＲｅｇｉｓｔｒａｔｉｏｎＲａｄｉｕｓを導出する場合における、新設された基地局に位置登録情報を自動的に設定するシーケンス図である。
【符号の説明】
【００６０】
１００…無線端末、１０１…基地局、１０２…呼処理制御装置、１０３…監視制御サーバ、１０４…ゲートウェイ、１０５…ＩＰ網、
（無線端末）２００…受信アンテナ、２０１…無線アナログ部、２０２…デジタル信号処理部、２０３…呼処理部、２１０…プロセッサ、２１１…プログラム格納メモリ、２１２…位置登録情報データベース、
（基地局）３００…受信アンテナ、３０１…無線アナログ部、３０２…デジタル信号処理部、３０３…回線インタフェース部、３０４…呼処理部、３１０…プロセッサ、３１１…プログラム格納メモリ、３１２…位置登録情報データベース、
（呼処理制御装置）４００…回線インタフェース、４０１…呼処理部、４１０…プロセッサ、４１１…プログラム格納メモリ、４１２…基地局位置登録情報データベース、４１３…基点基地局情報データベース
（監視制御サーバ）５００…回線インタフェース、５０１…呼処理部、４１０…プロセッサ、５１１…プログラム格納メモリ、５１２…位置登録情報データベース、
【図１】
2010081456.tif 000003
【図２】
2010081456.tif 000004
【図３】
2010081456.tif 000005
【図４】
2010081456.tif 000006
【図５】
2010081456.tif 000007
【図６】
2010081456.tif 000008
【図７】
2010081456.tif 000009
【図８】
2010081456.tif 000010
【図９】
2010081456.tif 000011
【図１０】
2010081456.tif 000012
【図１１】
2010081456.tif 000013
【図１２】
2010081456.tif 000014